(57)【要約】  本発明は、体の胸部領域を覆うよう組み付けられ形付けされているアクセサリーに関する。人体の中心に谷間を表示するブラジャーに適用される場合に、該アクセサリーは特に有用である。ブラジャーに適用した場合に、該アクセサリーは被着者の谷間を覆い下着を模倣する。本発明のアクセサリーは、人が異なった社会状況にある際にブラジャーから取り外すことができる。アクセサリーは異なった生地から形成することができるが、アクセサリーを異なったサイズのブラジャーに適用することができ、さらに被着者の動きに追随して動くことが可能となるようにアクセサリーを伸縮性とすることが好ましい。アクセサリーの生地を２重ねとして固定エレメントの大部分は被疑者の肌に触れないようにすることが好ましい。このことは、アクセサリーを付ける際に快適性を与える。
2013506056.tif 000002
【特許請求の範囲】
【請求項１】
ブラジャーによって形成される谷間を覆うためのブラジャーの中央に付ける取り外し可能なブラジャー用アクセサリーであって、
該アクセサリーは伸縮性のある三角形状の生地からなり、
該伸縮性生地は該アクセサリーの頂部に位置しかつその位置でストレート縁部を形成する伸縮性バンドを有し、
該伸縮性バンドの両端部は該頂部の縁部を超えて延在し、各端部はその上に位置する可動の固定エレメントを有し、
該伸縮性生地はさらに該アクセサリーの中央部に位置する伸縮性の縦バンドを有し、
該伸縮性バンドはその上およびその底部に位置する可動性固定エレメントを有し、
該伸縮性バンドはさらに該バンドの上部領域に位置する複数の固定エレメントを有し、
ブラジャーに取り付ける場合に該三角形状のアクセサリーの下端部を上方かつ内側に移動させ、該移動可能な固定エレメントは該複数の固定エレメントのいずれかの固定エレメントに取付可能とされ、
該伸縮性頂部バンドは該縁部から内側に位置する複数の固定エレメントを有し、
各バンドの端部の該移動可能なエレメントの各々は該縁部から延びその上に可動エレメントを有し、
該ブラジャーの肩ひも近傍に配置させた場合に該延在バンドに位置する該可動エレメントの各々は水平伸縮性バンド上の複数のエレメントのいずれかのエレメントに固定することができるようになっている、取り外し可能なブラジャーアクセサリー。
【請求項２】
前記アクセサリーの前記伸縮性生地は該頂部伸縮性バンドおよびそれ自身に２重となっている、請求項１の取り外し可能なブラジャーアクセサリー。
【請求項３】
固定エレメントが２重の生地の内部に配置され被着者の肌に接触するのを回避させる、請求項２の取り外し可能なブラジャーアクセサリー。
【発明の詳細な説明】
【技術分野】
【０００１】
本発明は、組立てられ形付されて身体の露出した胸部領域を被覆するアクセサリーに関する。
【背景技術】
【０００２】
仕事をする環境のみならず他の環境において、女性の胸部の谷間を露出することに対してドレスコードの制限が適用となる。ある状況及び環境においては、対向する谷間領域の幅によっては、女性を不快とする。多くの衣服は谷間領域を目立たせるためにデザインされているので、ある種の衣服は使用者が選んだ場合にいつでもその衣服を着ることに制限が出てくる。特許文献１には、中央の生地にひだを付けて多少の谷間を見せるのに役立つブラジャー中央バンドによって、女性の身体の露出谷間部を調整することができるブラジャーが説明されている。特許文献２には、女性の身体の露出された谷間部を覆うようにデザインされた部分下着となる三角形状の生地片が図示されている。
【先行技術文献】
【特許文献】
【０００３】
【特許文献１】米国特許第4,955,846
【特許文献２】米国特許公開公報No.2007/0281585
【発明の概要】
【発明が解決しようとする課題】
【０００４】
本発明のコンセプトは、ブラジャーの胸部の中央に生地を取り付けることを含み、該生地は下着を模倣する多くの形式を取ることができ、胸部の谷間部を隠す意図を有するものである。
【課題を解決するための手段】
【０００５】
生地片は取り外し自在にデザインされ、使用者は選択的に該生地片をブラジャーの胸部に取り付けたりあるいは取り外したりすることができる。この特徴によって、使用者は既存の禁止あるいは制限環境が終了すれば、衣服から生地片を直ちに取り外すことが可能となる。例としては、使用者は就業時間中は生地片を付け、仕事が終わったらアクセサリーと呼ぶことができる生地を直ちに取り外すことができる。一実施態様では、アクセサリーを永久的に除去できないアイテムとしてブラジャーに取り付けられる。別の実施態様では、取り外し可能でかつ交換可能なアイテムとしてアクセサリーを選択的にブラジャーに取り付けられる。固定エレメントは可変であり、止め具、ベルクロ（ＶＥＬＣＲＯ）あるいはフックとアイファスナーとすることができ、アクセサリーの適当な位置に位置決めすることができる。アクセサリーの生地は伸縮性があるので、異なったサイズのブラジャーに使用することができ、また被着者が色々な動作をしても動作を禁止することなくその動作と一緒に動くことが可能となっている。
【図面の簡単な説明】
【０００６】
【図１】レディーメイドのブラジャーに挿入したインサートを示す。
【図２】本発明のアクセサリーの平面図である。
【図３】該アクセサリーの外側図である。
【図４】該アクセサリーの内側図である。
【発明を実施するための形態】
【０００７】
図１は、ブラジャーＢの外表面に取り付けられたアクセサリー１を図示する。アクセサリー１は、３角形状のアクセサリー底端部２と頂端部３とを有し、底端部はブラジャーの底端部の下に折り返され、頂端部はブラジャーの外側から見えて、下着の外観を形成している。ブラジャーの頂端部には伸縮自在の内側バンドがあり、両端部を４と５とで示す。両端部は、ブラジャーの左肩ひもＢ１と右Ｂ２の肩ひもとに固定される。このことは、後続の図面に詳細に図示する。
【０００８】
図２は、三角形状のアクセサリー１の平面図である。アクセサリー１の生地は多少伸縮性があるので、アクセサリーは異なったサイズのブラジャーに適用可能となっており、あるいは生地が被着者の種々の動作に追随して動くようになっている。アクセサリーの頂部の内部には伸縮バンド３が設けられている。このバンドの伸縮性を矢印Ａで示す。バンド３の両端部を４，５として示すが、両端部はアクセサリーの頂部を若干超えて延在するようにされ、その端部４，５は図１に示すブラジャーの肩ひもに固定されるようになる。バンドの各端部４，５には、それぞれファスナー８，９が位置しているが、その使用法については後続の図に示す。その両端部４，５を有するバンド３は肩ひもの周りにそれら自身の上に折り返され、それぞれの固定エレメント１０，１１に合致するようになっている。
【０００９】
アクセサリー１の中央には、縦バンド７が位置決めあるいは配置されており、縦バンドも伸縮自在とされ、アクセサリー１の生地をのばす場合には縦バンドも延びることが可能となっている。アクセサリーのベース生地はそれ自身の上に２重とされ、それによって頂部バンド３と縦バンドは生地の内部に隠され、それぞれのファスナーのみが見えるが、多少隠され、被着者の裸の皮膚と干渉しないようになっている。中央の縦バンド７のファスナー１２，１３はその上に設けられ、単一のファスナー１４が三角形状のアクセサリーの底部に配置されている。底部ファスナーは、ブラジャーのサイズに従って、上部ファスナー１２及び１３のいずれかのファスナーに固定される。３角形状のアクセサリーの底端部は上方かつブラジャーの底部の下に折り返され、それによって底端部と一緒に移動可能とされたファスナー１４は、ファスナー１２，１３のいずれかのファスナーに取り付け可能となっている。
【００１０】
図３は、アクセサリー１の外側図である。上述の通り、アクセサリーの伸縮性生地は、外側生地１ｂと内側生地１ａとで見られるように、頂部バンド上に２重となっている。頂部バンドの両端部４，５は,それぞれのファスナー８，９を含め、アクセサリーの左右の側に見ることができる。図４は、アクセサリー１の内側の図である。再度、２つ重ねした生地が１ｂと１ａとで見ることができる。頂部バンドのそれぞれの端部は、それぞれのファスナー８，９を含めて、４，５とで見ることができるファスナー８，９は、ブラジャーサイズに応じて、それらのそれぞれのファスナー１０，１１に取り付けられる。底部ファスナー１４についても同様で有り、該ファスナーは、アクセサリーの底部の必要なオーバーラップ量に応じてファスナー１２と１３のいずれかのファスナーに合致させる。
【００１１】
（作用）
場合によって、ブラジャーと無論衣服とにより女性の身体の露出した谷間部、を覆う場合に、ブラジャーの中央部に三角形状の生地を配置する。上方の露出された両端部４と５は、ブラジャーの肩ひもＢ１とＢ２の近傍に置かれ、露出された両端部４と５と一緒に動く移動可能なファスナー８，９はここでそれらのそれぞれのファスナー１０と１１に固定される。弾力性のある生地を２つ重ねしてあるので、稼動ファスナー８と９の両方とも生地中に隠され、これらのファスナーは被着者の肌に触れることができないようになっている。
【００１２】
その後、三角形状部の下端部は２つ重ねされアクセサリーの生地の下方を移動され、２つ重ねした端部はブラジャーの底部端部の下方に配置され上方に移動されて、固定ファスナー１２と１３のいずれかのファスナーに合致して、可動とした底部ファスナー１４はそれぞれのファスナー１２と１３のいずれかのファスナーに合わされてそれに取り付けられる。アクセサリーの生地は２つ重ねとされているという事実により、可動ファスナー１４は生地の中に隠されて、従って被着者の肌に触れることができないようになっており、それによってアクセサリーを被着するのに快適さが加わる。アクセサリーの外側からファスナーを見ることができないという事実が、本発明のコンセプトの重要な特徴である。このことは、衣服の外観に大きな意味を与える。
【図１】
2013506056.tif 000003
【図２】
2013506056.tif 000004
【図３】
2013506056.tif 000005
【図４】
2013506056.tif 000006
【国際調査報告】
2013506056.tif 000007
2013506056.tif 000008